(57)【要約】      （修正有）【課題】刷毛から塗布剤が液垂れすることなく、一度に多量の塗布剤を吸入することができるため何度も刷毛を塗布剤に浸す必要がない液垂れ防止刷毛を提供する。【解決手段】外周面にスプリングを巻き付けたシャフト本体と、シャフトの挿通部を中央に備え外周面に凹凸を、底面外周に複数の係合部を備えた蓋と挿通部下端のグリップと、シャフト保持筒を挿通する搾り部を備えた搾り器本体と搾り器本体の底面の外周面に設けられ係合部を嵌入するための受け部からなる搾り器と、シャフトと連結し下部に嵌合部を備えたハウジングと、中央に吸込孔を穿設し、吸込孔の周囲に複数の刷毛取付孔を穿設した植毛ベース本体からなりハウジングの下部に取り付ける植毛ベースと、植毛ベースに取り付ける刷毛と、シャフトの連結部に挿入する挿入筒と径の大きい上下拡張部を設けたパッキン本体からなる液垂れ防止刷毛。【選択図】  図１
2006334500.tif 000002
【特許請求の範囲】
【請求項１】
外周面にスプリングを巻き付けたシャフト本体とシャフト本体の底面に取り付けられた連結部からなるシャフトと、前記シャフトを挿通する挿通部を中央に備え外周面に凹凸を施し底面外周に複数の係合部を備えた蓋と前記挿通部の下端に設けられたシャフト保持筒と前記シャフト保持筒の下端に設けられた連結筒からなるグリップと、前記シャフト保持筒を挿通する搾り部を備えた搾り器本体と前記搾り器本体の底面の外周面に設けられ前記係合部を嵌入するための受け部からなる搾り器と、前記シャフトの連結部と連結し下部に嵌合部を備えたハウジング本体からなるハウジングと、中央に吸込孔を穿設し、吸込孔の周囲に複数の刷毛取付孔を穿設した植毛ベース本体からなり前記ハウジングの下部に取り付ける植毛ベースと、前記消耗ベースの刷毛取付孔に取り付ける刷毛と、前記シャフトの連結部に挿入する挿入筒と径の大きい上下拡張部を設けたパッキン本体からなるパッキン
とからなることを特徴とする液垂れ防止刷毛。
【発明の詳細な説明】
【技術分野】
【０００１】
本発明は、接着剤や塗料、化粧品などの液体を塗布する際に使用する刷毛に関する発明である。
【背景技術】
【０００２】
従来の刷毛は、棒などの杖の先端に無数の毛が取り付けられたもので、刷毛のみのものや接着剤や塗料の容器蓋の裏面に刷毛を取り付けたものなどがあった。
【０００３】
しかしながら、従来の刷毛は塗布又は塗装の際に刷毛に塗布剤を染み込ませ、塗布剤が無くなると再度塗布剤に刷毛を染み込ませて使用しなければならず、刷毛に多量の塗布剤を染み込ませた場合などは液垂れにより周囲を汚してしまうという問題があった。
【０００４】
また、刷毛から液垂れしない程度の量の塗布剤では、刷毛を何度も塗布剤に浸さなければならず面倒で効率の悪いものであり、しかも完全に液垂れを防止することができるわけではなかった。
【特許文献１】特願２００３−２９１５９２号公報
【発明の開示】
【発明が解決しようとする課題】
【０００５】
そこで、本発明は、刷毛内に塗布剤を吸入させることができ、また、刷毛を塗布剤の容器から取り出す際に刷毛の周囲に付着した塗布剤を搾り取ることができるようにしたことで、刷毛から塗布剤が液垂れすることなく、一度に多量の塗布剤を吸入することができるため何度も刷毛を塗布剤に浸す必要がない液垂れ防止刷毛を提供することを目的とするものである。
【課題を解決するための手段】
【０００６】
本発明は、上記の課題を解決するために、外周面にスプリング２ｃを巻き付けたシャフト本体２ａとシャフト本体２ａの底面に取り付けられた連結部２ｄからなるシャフト２と、前記シャフト２を挿通する挿通部３ｇを中央に備え外周面に凹凸３ｂを施し底面３ｃ外周に複数の係合部３ｄを備えた蓋３ａと前記挿通部３ｇの下端に設けられたシャフト保持筒３ｅと前記シャフト保持筒３ｅの下端に設けられた連結筒３ｆからなるグリップ３と、前記シャフト保持筒３ｅを挿通する搾り部４ｄを備えた搾り器本体４ａと前記搾り器本体４ａの底面４ｂの外周面に設けられ前記係合部３ｄを嵌入するための受け部４ｃからなる搾り器４と、前記シャフト２の連結部２ｄと連結し下部に嵌合部５ｃを備えたハウジング本体５ａからなるハウジング５と、中央に吸込孔６ｃを穿設し吸込孔６ｃの周囲に複数の刷毛取付孔６ｄを穿設した植毛ベース本体６ａからなり前記ハウジング５の下部に取り付ける植毛ベース６と、前記消耗ベース６の刷毛取付孔６ｄに取り付ける刷毛７と、前記シャフト２の連結部２ｄに挿入する挿入筒８ｂと径の大きい上下拡張部８ｃ、８ｄを設けたパッキン本体８ａからなるパッキン８とからなることを特徴とする液垂れ防止刷毛の構成とした。
【発明の効果】
【０００７】
本発明の液垂れ防止刷毛は刷毛内に多量の塗布剤を吸入することができるため、一度の吸入で広範囲を塗布することができる。
【０００８】
また、塗布剤の容器から刷毛を取り出す際に刷毛の周囲の付着物を取り除く搾り部があるため刷毛から不要な塗布剤が液垂れすることがなく、周囲を汚す心配がない。
【発明を実施するための最良の形態】
【０００９】
刷毛からの塗布剤の液垂れを防ぎ、一度に広範囲を塗布することができる刷毛という目的を塗布剤の吸入機能と、不要な付着物の搾り機能を付けることによって実現した。
【実施例１】
【００１０】
図１は本発明である液垂れ防止刷毛の正面図、図２は液垂れ防止刷毛のＡ−Ａ線に沿った断面図である。図１及び図２に示すように、本発明である液垂れ防止刷毛１は、シャフト２と、グリップ３と、搾り器４と、ハウジング５と、植毛ベース６と、刷毛７と、パッキン８とからなる。まず、図３から図２６を使用して各部材を詳細に説明することとする。
【００１１】
図３は本発明である液垂れ防止刷毛のシャフトの正面図、図４は垂れ防止刷毛のシャフトの平面図、図５は液垂れ防止刷毛のシャフトの底面図、図６は液垂れ防止刷毛のシャフトのＢ−Ｂ線に沿った断面図である。図３から図６に示すように、シャフト２は円柱状のシャフト本体２ａと前記シャフト本体２ａの上面に取り付けられた押圧部２ｂと、前記外周面に巻き付けられたスプリング２ｃと、前記シャフト本体２ａの下面に取り付けられた連結部２ｄとからなる。
【００１２】
前記押圧部２ｂは丈の短い円柱形をしており、押圧部２ｂの径は前記シャフト本体２ａの径よりも大きい。また、前記連結部２ｄも丈の短い円柱形をしており、連結部２ｄの径は前記シャフト本体２ａの径よりも小さい。
【００１３】
図１に示すように、シャフト本体２ａの外周面にはスプリング２ｃが螺旋状に巻き付けられており、その巻き付け位置はシャフト本体２ａの真ん中付近から上部にかけてのあたりである。
【００１４】
図４から図６に示すように、前記押圧部２ｂ、シャフト本体２ａ、連結部２ｄの内部は中空となっており、全ての中空部が繋がっている。前記押圧部２ｂの中空部の最上部を特に開口部２ｅとし、径が最も大きい。前記シャフト本体２ａの中空部は上部が最も大きい径となっており、下方に進むにつれて径が小さくなる中空部である。更にシャフト本体２ａの中空部は最も下の内部底面２ｆで一度平坦になり、最も径の小さい孔２ｇが穿設されている。前記孔２ｇは連結部２ｄの中空２ｈへ繋がっている。
【００１５】
図７は本発明である液垂れ防止刷毛のグリップの正面図、図８は液垂れ防止刷毛のグリップの平面図、図９は液垂れ防止刷毛のグリップの底面図、図１０は液垂れ防止刷毛のグリップのＣ−Ｃ線に沿った断面図である。図７から図１０に示すように、グリップ３は、蓋３ａと前記蓋３ａの中央下部に連結しているシャフト保持筒３ｅと、前記シャフト保持筒３ｅの下部に連結している連結筒３ｆとからなる。
【００１６】
前記蓋３ａは中央に挿通部３ｇを設けた略円柱形をしており、側面は全て凹凸３ｂが施され、前記挿通部３ｇと外周面の間は空間３ｉとなっている。蓋３ａ側面の最も下は外方に向かって直角に広がった底面３ｃとなっており、更に底面３ｃの３箇所に突起面を設けて係合部３ｄ、３ｄ、３ｄを備えている。
【００１７】
前記挿通部３ｇの下端には挿通部３ｇより若干径の小さい円柱形のシャフト保持筒３ｅが連結されている。前記シャフト保持筒３ｅは内部が中空３ｈになっており、シャフト保持筒３ｅの内壁面は更に下方へ伸び連結筒３ｆを形成している。一方前記シャフト保持筒３ｅの外壁面は、内側に隙間３ｊを設けながら前記連結筒３ｆの外壁面へ繋がっている。即ち、シャフト保持筒３ｅの外周面の径より連結筒３ｆの外周面の径の方が若干小さくなっている。
【００１８】
図１１は本発明である液垂れ防止刷毛の搾り器の正面図、図１２は液垂れ防止刷毛の搾り器の平面図、図１３は液垂れ防止刷毛の搾り器の底面図、図１４は液垂れ防止刷毛の搾り器のＤ−Ｄ線に沿った断面図である。前記搾り器４は、搾り器本体４ａと、前記搾り器本体４ａの下部に連結している底面４ｂと、前記底面４ｂ上に取り付けられた３つの受け部４ｃと、前記搾り器本体４ａの上面中央より内部下方へ向かって設けられた搾り部４ｄからなる。
【００１９】
前記搾り器本体４ａは上部より見ると円形をしており、上面中央に大きな開口部４ｇを設け、側面下部より外方に向かって直角に広がった底面４ｂを備えている。前記開口部４ｇより搾り器本体４ａ内の下方に向かって搾り部４ｄを備えており、前記搾り部４ｄは上部より下部に向かうに従って径が徐々に小さくなり、搾り部４ｄの再下端は無数のスリットが施されている。また、前記搾り器本体４ａの内壁面と前記搾り部４ｄの外壁面との間には空間があり嵌め込み部４ｈを形成している。前記搾り器本体４ａの内壁面にはネジ山４ｉが施されている。
【００２０】
図１１及び図１２に示すように、前記底面４ｂ上には３つの受け部４ｃ、４ｃ、４ｃが設けられている。前記受け部４ｃは上面より見ると略扇状をしており、受け部４ｃの前記底面４ｂの外周面に沿った曲面は底面４ｂより垂直に起立した状態にある。
【００２１】
底面４ｂより垂直に起立した受け部４ｃの外周面は搾り器本体４ａに向かって直角に折れて挿入隙間４ｅを設けている。図１４に示すように、受け部４ｃの手前側及び右側面即ち搾り器本体４ａ側は開口しており、受け部４ｃの奥側はストッパ４ｆとなっている。
【００２２】
図１５は本発明である液垂れ防止刷毛のハウジングの正面図、図１６は液垂れ防止刷毛のハウジングの平面図、図１７は液垂れ防止刷毛のハウジングの底面図、図１８は液垂れ防止刷毛のハウジングのＥ−Ｅ線に沿った断面図である。図１５から図１８に示すように、前記ハウジング５は内部が中空５ｂとなっている円柱状のハウジング本体５ａからなる。
【００２３】
図１８に示すように、前記ハウジング本体５ａの内壁面の下部は若干径の広い嵌合部５ｃとなっている。従ってハウジング本体５ａの内壁面には径の大きさの違う２つの中空５ｂ、５ｄが存在し、中空５ｂより中空５ｄの方が径が大きく、前記中空５ｂと中空５ｄの接合部は段差５ｅが存在する。
【００２４】
図１９は本発明である液垂れ防止刷毛の植毛ベースの正面図、図２０は液垂れ防止刷毛の植毛ベースの平面図、図２１は液垂れ防止刷毛の植毛ベースの底面図、図２２は液垂れ防止刷毛の植毛ベースのＦ−Ｆ線に沿った断面図である。前記植毛ベース６は円柱形の植毛ベース本体６ａと、前記植毛ベース本体６ａの下端にある底面部６ｂとからなる。
【００２５】
前記植毛ベース本体６ａの中央には植毛ベース本体６ａの上端から下端を貫通するように吸入孔６ｃが穿設されており、更に前記吸入孔６ｃを取り囲むように複数の刷毛取付孔６ｄが穿設されている。前記刷毛取付孔６ｄは吸入孔６ｃと同様に植毛ベース本体６ａの上端から下端を貫通するように穿設されている。
【００２６】
図２３は本発明である液垂れ防止刷毛のパッキンの正面図、図２４は液垂れ防止刷毛のパッキンの平面図、図２５は液垂れ防止刷毛のパッキンの底面図、図２６は液垂れ防止刷毛のパッキンのＧ−Ｇ線に沿った断面図である。図２３から図２６に示すように、前記パッキン８は、パッキン本体８ａと前記パッキン本体８ａの内部中央に起立して設けられている挿入筒８ｂからなる。
【００２７】
前記パッキン本体８ａは内部が中空の略円柱形をしており、上下拡張部８ｃ、８ｄを設けたことにより、パッキン本体８ａの径は上端と下端の径が昼間部の径より若干大きい。また、パッキン本体８ａの内部底面は途中から中央に向かって傾斜８ｈとなって盛り上がり、前記挿入筒８ｂの下端に連結している。これにより、前記傾斜８ｈの下側には断面が略台形状の下開口部８ｆが形成された。
【００２８】
前記挿入筒８ｂは内部が中空８ｅとなっており、挿入筒８ｂの外壁面と前記パッキン本体８ａの内壁面の間には空間８ｇが設けられている。
【００２９】
次に、図１及び図２を使用して前述した各部材であるシャフト２、グリップ３、搾り器４、ハウジング５、植毛ベース６、パッキン８からなる液垂れ防止刷毛１の構造を説明することとする図１は、本発明である液垂れ防止刷毛の正面図、図２は液垂れ防止刷毛のＡ−Ａ線に沿った断面図である。
【００３０】
本発明である液垂れ防止刷毛１は、まず、前記円柱状のハウジング本体５ａ内に前記パッキン８を挿入する。このとき、パッキン８の挿入筒８ｂが上を向くように挿入して設置する。次に図２に示すように、ハウジング本体５ａの上端に前記グリップ３の連結筒３ｆを挿入すると同時にハウジング本体５ａの上端を隙間３ｊに嵌入してハウジング５とグリップ３を連結する。
【００３１】
前記グリップ３の挿通部３ｇから下方に向かってシャフト２を挿通し、シャフト２の下端にある連結部２ｄ内に前記パッキン８の挿入筒８ｂを挿入して固定する。このとき、前記シャフト２を構成するスプリング２ｃの下端は挿通部３ｇの下端で引っ掛かり挿通部３ｇより下へずれることはない。
【００３２】
前記ハウジング５の下端には全ての刷毛取付孔６ｄに刷毛７を取り付けた植毛ベース６を嵌入して取付け刷毛部分が完了する。出来上がった刷毛部分を搾り器４の開口部４ｇから挿通し、グリップ３の底面３ｃが搾り器４の底面４ｂに当たるまで差し込む。
【００３３】
前述のようにグリップ３の底面３ｃに設けられた３つの係合部３ｄ、３ｄ、３ｄを搾り器４の底面４ｂ上に設けた３つの受け部４ｃ、４ｃ、４ｃの挿入隙間４ｅに滑り込ませるように嵌入する。尚、グリップ３と搾り器４の係合方法については図２７にて詳細に説明する。
【００３４】
図２７は本発明である液垂れ防止刷毛のグリップと搾り器の係合状態を示した平面図である。図２７に示すように、グリップ３を搾り器４に被せた状態でグリップ３を矢印Ｈの方向に回転させると、グリップ３の係合部３ｄが搾り器４の受け部４ｃ内の挿入隙間４ｅに滑り込み、グリップ３と搾り器４がしっかりと係合される。
【００３５】
逆にグリップ３を矢印Ｉ方向に回転させると、係合部３ｄは挿入隙間４ｅから外れ、グリップ３と搾り器４を容易に外すことができる。
【００３６】
次に本発明である液垂れ防止刷毛１を塗布剤の入った容器に取り付けた状態を説明することとする。図２８は本発明である液垂れ防止刷毛を使用している状態を示した断面図である。図２８に示すように、まず、塗布剤容器９の容器本体９ａ上面にある取付部９ｂに前記搾り器４を取り付ける。このとき取付部９ｂの外表面のネジ山９ｃと搾り器本体４ａ内壁面のネジ山４ｉを螺合してしっかりと取り付ける。
【００３７】
容器本体４ａに取り付けた前記搾り器４の開口部４ｇより液垂れ防止刷毛１の刷毛部分を挿入していき、前述のようにグリップ３の係合部３ｄと搾り器４の受け部４ｃを係合して固定する。即ち、本発明である液垂れ防止刷毛１は、使用しないときは塗布剤容器９の蓋の役割も果たしている。尚、符号９ｄは塗布剤の液体を表している。
【００３８】
本発明である液垂れ防止刷毛１の使い方は、まず、前記グリップ３を回転させて搾り器４から外し、ハウジング５の中空５ｂ内に溜まった空気を抜く。これはシャフト２を下方に向かって押し下げることでハウジング５内のパッキン８が押し下げられ中空５ｂ内の空気を押し出すことができる。
【００３９】
押し下げたシャフト２はスプリング２ｃの戻る力により徐々に上方に押し上げられ、シャフト２の上昇とともにパッキン８もハウジング５内を上昇する。このとき、ハウジング５内は真空状態となるので、液体９ｄが植毛ベース６の吸入孔６ｃからハウジング５内へ吸い上げられハウジング５内は液体９ｄで満たされる。
【００４０】
次に、グリップ３を掴んでハウジング５内に液体を９ｄを満たした液垂れ防止刷毛１の刷毛部分を搾り器４から抜き出す。搾り器４には搾り部４ｄが取り付けられており、この搾り部４ｄは先端が無数のスリットとなっており、そのスリット部分が前記シャフト保持筒３ｅやハウジング本体５ａ等の外表面に密着しているため、刷毛部分を搾り器４から抜き出すまでにシャフト保持筒３ｅ、ハウジング本体５ａ、刷毛７に付着した不要な液体９ｄを削ぎ落とすことができる。そのため、塗布剤容器９ａから刷毛部分を抜き取った後には不要な液体９ｄがすべて取り除かれており、液垂れをおこすことがない。
【００４１】
実際に塗布剤を塗布するときは、前記シャフト２を少し押して刷毛７に液体９ｄを染み込ませる。刷毛７に液体９ｄが無くなる前に再度シャフト２を押せば、ハウジング５内の液体９ｄが押し出されるので、引き続き塗布を行うことができる。
【００４２】
ハウジング５内に一定量の塗布剤を吸入しておくことができるため、従来の刷毛を塗布剤に浸してから塗布する場合よりも一度に塗布することができる範囲が広く、作業効率も良い。また、前述の搾り器４により液垂れによって周囲を汚すことがない。
【００４３】
本発明である液垂れ防止刷毛１は液体状のものであれば、接着剤、塗料、マニュキアなど液体全般に利用できる。
【図面の簡単な説明】
【００４４】
【図１】本発明である液垂れ防止刷毛の正面図である。
【図２】本発明である液垂れ防止刷毛のＡ−Ａ線に沿った断面図である。
【図３】本発明である液垂れ防止刷毛のシャフトの正面図である。
【図４】本発明である液垂れ防止刷毛のシャフトの平面図である。
【図５】本発明である液垂れ防止刷毛のシャフトの底面図である。
【図６】本発明である液垂れ防止刷毛のシャフトのＢ−Ｂ線に沿った断面図である。
【図７】本発明である液垂れ防止刷毛のグリップの正面図である。
【図８】本発明である液垂れ防止刷毛のグリップの平面図である。
【図９】本発明である液垂れ防止刷毛のグリップの底面図である。
【図１０】本発明である液垂れ防止刷毛のグリップのＣ−Ｃ線に沿った断面図である。
【図１１】本発明である液垂れ防止刷毛の搾り器の正面図である。
【図１２】本発明である液垂れ防止刷毛の搾り器の平面図である。
【図１３】本発明である液垂れ防止刷毛の搾り器の底面図である。
【図１４】本発明である液垂れ防止刷毛の搾り器のＤ−Ｄ線に沿った断面図である。
【図１５】本発明である液垂れ防止刷毛のハウジングの正面図である。
【図１６】本発明である液垂れ防止刷毛のハウジングの平面図である。
【図１７】本発明である液垂れ防止刷毛のハウジングの底面図である。
【図１８】本発明である液垂れ防止刷毛のハウジングのＥ−Ｅ線に沿った断面図である。
【図１９】本発明である液垂れ防止刷毛の植毛ベースの正面図である。
【図２０】本発明である液垂れ防止刷毛の植毛ベースの平面図である。
【図２１】本発明である液垂れ防止刷毛の植毛ベースの底面図である。
【図２２】本発明である液垂れ防止刷毛の植毛ベースのＦ−Ｆ線に沿った断面図である。
【図２３】本発明である液垂れ防止刷毛のパッキンの正面図である。
【図２４】本発明である液垂れ防止刷毛のパッキンの平面図である。
【図２５】本発明である液垂れ防止刷毛のパッキンの底面図である。
【図２６】本発明である液垂れ防止刷毛のパッキンのＧ−Ｇ線に沿った断面図である。
【図２７】本発明である液垂れ防止刷毛のグリップと搾り器の係合状態を示した平面図である。
【図２８】本発明である液垂れ防止刷毛を使用している状態を示した断面図である。
【符号の説明】
【００４５】
１      液垂れ防止刷毛
２      シャフト
２ａ    シャフト本体
２ｂ    押圧部
２ｃ    スプリング
２ｄ    連結部
２ｅ    開口部
２ｆ    内部底面
２ｇ    孔
２ｈ    中空
３      グリップ
３ａ    蓋
３ｂ    凹凸
３ｃ    底面
３ｄ    係合部
３ｅ    シャフト保持筒
３ｆ    連結筒
３ｇ    挿通部
３ｈ    中空
３ｉ    空間
３ｊ    隙間
４      搾り器
４ａ    搾り器本体
４ｂ    底面
４ｃ    受け部
４ｄ    搾り部
４ｅ    挿入隙間
４ｆ    ストッパ
４ｇ    開口部
４ｈ    嵌め込み部
４ｉ    ネジ山
５      ハウジング
５ａ    ハウジング本体
５ｂ    中空
５ｃ    嵌合部
５ｄ    中空
５ｅ    段差
６      植毛ベース
６ａ    植毛ベース本体
６ｂ    底面部
６ｃ    吸込孔
６ｄ    刷毛取付孔
７      刷毛
８      パッキン
８ａ    パッキン本体
８ｂ    挿入筒
８ｃ    上拡張部
８ｄ    下拡張部
８ｅ    中空
８ｆ    下開口部
８ｇ    空間
８ｈ    傾斜
９      容器
９ａ    容器本体
９ｂ    取付部
９ｃ    ネジ山
９ｄ    液体
【図１】
2006334500.tif 000003
【図２】
2006334500.tif 000004
【図３】
2006334500.tif 000005
【図４】
2006334500.tif 000006
【図５】
2006334500.tif 000007
【図６】
2006334500.tif 000008
【図７】
2006334500.tif 000009
【図８】
2006334500.tif 000010
【図９】
2006334500.tif 000011
【図１０】
2006334500.tif 000012
【図１１】
2006334500.tif 000013
【図１２】
2006334500.tif 000014
【図１３】
2006334500.tif 000015
【図１４】
2006334500.tif 000016
【図１５】
2006334500.tif 000017
【図１６】
2006334500.tif 000018
【図１８】
2006334500.tif 000019
【図１９】
2006334500.tif 000020
【図２０】
2006334500.tif 000021
【図２１】
2006334500.tif 000022
【図２２】
2006334500.tif 000023
【図２３】
2006334500.tif 000024
【図２４】
2006334500.tif 000025
【図２５】
2006334500.tif 000026
【図２６】
2006334500.tif 000027
【図２７】
2006334500.tif 000028
【図２８】
2006334500.tif 000029
【図１７】
2006334500.tif 000030